(57)【特許請求の範囲】
【請求項１】
釣銭機に着脱自在であり、前記釣銭機から貨幣を回収するとともに、回収された貨幣を特定可能な情報を記憶する記憶媒体を有する回収カセットと、
前記回収カセットを保管するカセット保管装置と、を備え、
前記カセット保管装置は、
一方の側面が開口し、前記回収カセットを内部に収容する少なくとも１つのカセット収容部と、
前記カセット収容部に収容された前記回収カセットを、外部から取り出せないように取り出し規制することが可能な取出規制部と、
前記カセット収容部に収容された前記回収カセットの前記記憶媒体から前記情報を読み出す読出部と、
前記読出部により読み出された情報に基づいて、前記釣銭機からの回収額を特定して管理する管理部と、
前記管理部によって管理される前記回収額を外部へ送信する通信部と、を有する、  ことを特徴とする現金管理システム。
【請求項２】
前記管理部は、前記回収カセット内の現金在高に基づいて、前記回収カセットが満杯又は満杯に近い状態にあることを検出した場合、カセット回収指示を外部へ出力することを特徴とする請求項１に記載の現金管理システム。
【請求項３】
前記管理部は、前記釣銭機から貨幣を回収した回収日毎に区別して回収額を管理することを特徴とする請求項１又は２に記載の現金管理システム。
【請求項４】
前記管理部は、回収日毎に前記回収額を含む売上データを外部へ出力することを特徴とする請求項３に記載の現金管理システム。
【請求項５】
前記管理部は、前記売上データを外部出力したか否かを管理することを特徴とする請求項４に記載の現金管理システム。
【請求項６】
前記管理部は、外部出力していない売上データがある場合、前記カセット収容部から前記回収カセットを取り外しできないようにすることを特徴とする請求項５に記載の現金管理システム。
【請求項７】
前記管理部は、前記回収カセットが回収される際に、外部出力していない全ての売上データを外部出力することを特徴とする請求項４乃至６のいずれかに記載の現金管理システム。
【請求項８】
前記管理部は、前記カセット収容部による前記回収カセットの収容に伴い、この回収カセットが装着されていた釣銭機からの回収額を求めて外部出力することを特徴とする請求項１乃至４のいずれかに記載の現金管理システム。
【請求項９】
前記記憶媒体には、前記釣銭機によりこの釣銭機からの回収額が書き込まれており、
前記読出部は、前記記憶媒体から前記回収額を読み出し、
前記管理部は、前記読出部により読み出された前記回収額を外部出力するとともに、前記回収カセット内の在高を管理することを特徴とする請求項１乃至８のいずれかに記載の現金管理システム。
【請求項１０】
前記記憶媒体は、前記回収カセットを識別する識別情報を記憶しており、
前記読出部は、前記記憶媒体から前記識別情報を読み出し、
前記管理部は、複数の釣銭機と通信可能に接続されており、前記読出部により読み出された前記識別情報に基づいて前記回収カセットが装着されていた釣銭機を検出し、検出した釣銭機から回収額を取得することを特徴とする請求項１乃至８のいずれかに記載の現金管理システム。
【請求項１１】
釣銭機と、前記釣銭機に着脱自在であり、記憶媒体を有する回収カセットと、カセット収容部、取出規制部、読出部、管理部、及び通信部を有するカセット保管装置と、を用いた現金管理方法であって、
前記回収カセットを用いて、前記釣銭機から貨幣を回収する工程と、
前記釣銭機が、前記回収カセットに回収される貨幣を特定可能な情報を前記記憶媒体に書き込む工程と、
前記カセット収容部が、前記釣銭機から貨幣を回収した前記回収カセットを内部に収容する工程と、
前記取出規制部が、前記カセット収容部に収容された前記回収カセットを、外部から取り出せないように取り出し規制する工程と、
前記読出部が、前記カセット収容部に収容された前記回収カセットの前記記憶媒体から前記情報を読み出す工程と、
前記管理部が、前記読出部により読み出された情報に基づいて前記回収カセットに回収された貨幣を特定し、前記釣銭機からの回収額を管理する工程と、
前記通信部が、前記管理部によって管理される前記回収額を外部へ送信する工程と、
を備える現金管理方法。
【発明の詳細な説明】
【技術分野】
【０００１】
本発明は、釣銭機から貨幣を回収する回収カセットを用いて貨幣を受け渡しする現金管理システム及び方法に関する。
【背景技術】
【０００２】
小売店舗等においては、レジに紙幣釣銭機や硬貨釣銭機が設置されている。営業時間が終了すると、これらの釣銭機から紙幣や硬貨等の貨幣が回収されて、出納室等に設置されている入出金装置に入金されて管理される。
【０００３】
例えば、特許文献１では、補充回収カセットを用いて自動釣銭機から貨幣を回収している。自動釣銭機から貨幣を回収した補充回収カセットは、出納室等に設置された自動補充回収機にセットされる。そして、補充回収カセットから貨幣が繰り出され、鑑別部により鑑別された後、自動補充回収機内の収納ボックスに金種別に収納される。自動補充回収機内の貨幣は、警備会社により定期的に回収される。
【０００４】
しかし、このような従来のシステムでは、出納室等に、カセット内の貨幣を識別（及び計数）する機能を持った入出金装置を設置しなければならず、店舗内の現金管理にコストがかかるという問題があった。
【先行技術文献】
【特許文献】
【０００５】
【特許文献１】特開２００７−３４５２２号公報
【発明の概要】
【発明が解決しようとする課題】
【０００６】
本発明は、このような点を考慮してなされたものであり、現金管理のコストを削減することができる現金管理システム及び方法を提供することを目的とする。
【課題を解決するための手段】
【０００７】
本発明の一態様による現金管理システムは、釣銭機に着脱自在であり、前記釣銭機から貨幣を回収するとともに、回収された貨幣を特定可能な情報を記憶する記憶媒体を有する回収カセットと、前記回収カセットを保管するカセット保管装置と、を備え、前記カセット保管装置は、一方の側面が開口し、前記回収カセットを内部に収容する少なくとも１つのカセット収容部と、前記カセット収容部に収容された前記回収カセットを、外部から取り出せないように取り出し規制することが可能な取出規制部と、前記カセット収容部に収容された前記回収カセットの前記記憶媒体から前記情報を読み出す読出部と、前記読出部により読み出された情報に基づいて、前記釣銭機からの回収額を特定して管理する管理部と、前記管理部によって管理される前記回収額を外部へ送信する通信部と、を有する。
【０００８】
本発明の一態様による現金管理システムにおいては、前記管理部は、前記回収カセット内の現金在高に基づいて、前記回収カセットが満杯又は満杯に近い状態にあることを検出した場合、カセット回収指示を外部へ出力することが好ましい。
【０００９】
本発明の一態様による現金管理システムにおいては、前記管理部は、前記釣銭機から貨幣を回収した回収日毎に区別して回収額を管理することが好ましい。
【００１０】
本発明の一態様による現金管理システムにおいては、前記管理部は、回収日毎に前記回収額を含む売上データを外部へ出力することが好ましい。
【００１１】
本発明の一態様による現金管理システムにおいては、前記管理部は、前記売上データを外部出力したか否かを管理することが好ましい。
【００１２】
本発明の一態様による現金管理システムにおいては、前記管理部は、外部出力していない売上データがある場合、前記カセット収容部から前記回収カセットを取り外しできないようにすることが好ましい。
【００１３】
本発明の一態様による現金管理システムにおいては、前記管理部は、前記回収カセットが回収される際に、外部出力していない全ての売上データを外部出力することが好ましい。
【００１４】
本発明の一態様による現金管理システムにおいては、前記管理部は、前記カセット収容部による前記回収カセットの収容に伴い、この回収カセットが装着されていた釣銭機からの回収額を求めて外部出力することが好ましい。
【００１５】
本発明の一態様による現金管理システムにおいては、前記記憶媒体には、前記釣銭機によりこの釣銭機からの回収額が書き込まれており、前記読出部は、前記記憶媒体から前記回収額を読み出し、前記管理部は、前記読出部により読み出された前記回収額を外部出力するとともに、前記回収カセット内の在高を管理することが好ましい。
【００１６】
本発明の一態様による現金管理システムにおいては、前記記憶媒体は、前記回収カセットを識別する識別情報を記憶しており、前記読出部は、前記記憶媒体から前記識別情報を読み出し、前記管理部は、複数の釣銭機と通信可能に接続されており、前記読出部により読み出された前記識別情報に基づいて前記回収カセットが装着されていた釣銭機を検出し、検出した釣銭機から回収額を取得することが好ましい。
【００１７】
本発明の一態様による現金管理方法は、釣銭機と、前記釣銭機に着脱自在であり、記憶媒体を有する回収カセットと、カセット収容部、取出規制部、読出部、管理部、及び通信部を有するカセット保管装置と、を用いた現金管理方法であって、前記回収カセットを用いて、前記釣銭機から貨幣を回収する工程と、前記釣銭機が、前記回収カセットに回収される貨幣を特定可能な情報を前記記憶媒体に書き込む工程と、前記カセット収容部が、前記釣銭機から貨幣を回収した前記回収カセットを内部に収容する工程と、前記取出規制部が、前記カセット収容部に収容された前記回収カセットを、外部から取り出せないように取り出し規制する工程と、前記読出部が、前記カセット収容部に収容された前記回収カセットの前記記憶媒体から前記情報を読み出す工程と、前記管理部が、前記読出部により読み出された情報に基づいて前記回収カセットに回収された貨幣を特定し、前記釣銭機からの回収額を管理する工程と、前記通信部が、前記管理部によって管理される前記回収額を外部へ送信する工程と、を備える。
【発明の効果】
【００１８】
本発明の現金管理システムによれば、店舗内の現金管理のコストを削減することができる。
【図面の簡単な説明】
【００１９】
【図１】本発明の第１の実施形態に係る現金管理システムの概略構成図である。
【図２】同第１の実施形態に係るカセット保管装置の外観図である。
【図３】カセット収容部の断面図である。
【図４】カセット保管装置のブロック図である。
【図５】カセット保管装置で記憶されるデータの一例を示す図である。
【図６】本発明の第２の実施形態に係る現金管理システムの概略構成図である。
【発明を実施するための形態】
【００２０】
以下、本発明の実施の形態を図面に基づいて説明する。
【００２１】
（第１の実施形態）図１に本発明の第１の実施形態に係る現金管理システムを示す。現金管理システムは、釣銭機１０から貨幣を回収する回収カセット２０と、回収カセット２０を保管するカセット保管装置３０を備えている。カセット保管装置３０に保管されている回収カセット２０は、釣銭機１０に装填されたり、警備会社等の回収業者により警送センター４０へ送られたりする。また、カセット保管装置３０は、警送センター４０から配送された回収カセット２０を保管する。また、カセット保管装置３０は、警送センター４０と通信することができる。
【００２２】
釣銭機１０は、紙幣釣銭機１１及び硬貨釣銭機１２を備え、レジスタ１３に接続されている。紙幣釣銭機１１や硬貨釣銭機１２は、それぞれ、紙幣や硬貨をその内部に収納するようになっている。そして、店頭において顧客が商品を購入する際に、顧客から受け取った紙幣や硬貨を識別・計数して入金すると共に、釣銭として顧客に紙幣や硬貨を支払う場合には、紙幣釣銭機１１や硬貨釣銭機１２に収納された紙幣や硬貨を外部に投出し、投出された紙幣や硬貨を顧客に渡すようになっている。
【００２３】
このような紙幣釣銭機１１や硬貨釣銭機１２には、様々なタイプのものを用いることができる。一例としては、商品の情報をレジスタ１３に入力し、顧客から預かった紙幣や硬貨を店員が紙幣釣銭機１１や硬貨釣銭機１２に投入すると、それを識別・計数して入金金額を算出し、この入金金額と売上金とに基づいて自動的に釣銭としての紙幣や硬貨が紙幣釣銭機１１や硬貨釣銭機１２から投出されるものが知られている。
【００２４】
釣銭機１０は、後述する回収カセット２０を装填／取り外しできるようになっている。釣銭機１０の機内に収納されている紙幣や硬貨を回収する場合、釣銭機１０は収納している紙幣や硬貨を回収カセット２０に移動させる。釣銭機１０から回収カセット２０を取り出すことで、紙幣や硬貨の回収を行うことができる。図１には釣銭機１０を１つ示しているが、複数あってもよい。
【００２５】
回収カセット２０には、ＩＣタグ等の記憶媒体２１が取り付けられている。記憶媒体２１は、この記憶媒体２１が取り付けられている回収カセット２０に固有のカセットＩＤを記憶している。
【００２６】
釣銭機１０は、回収カセット２０が装填されている状態で記憶媒体２１にデータを書き込むことができるデータライタを備えている。釣銭機１０は、貨幣（紙幣・硬貨）回収時に、回収カセット２０に移動させた貨幣、すなわち回収された貨幣、の金種別枚数や合計金額を含む回収金情報を記憶媒体２１に書き込む。また、釣銭機１０は、貨幣回収時に、自機に固有の釣銭機ＩＤと、回収日時も、記憶媒体２１に書き込む。
【００２７】
次に、図２〜図４を用いて、カセット保管装置３０について説明する。図２はカセット保管装置３０の外観図、図３はカセット収容部３１の断面図、図４はカセット保管装置３０のブロック図である。
【００２８】
カセット保管装置３０は、回収カセット２０をそれぞれ収容する少なくとも１つのカセット収容部３１と、各カセット収容部３１に収容された回収カセット２０の取り出しを規制する取出規制部３５と、を備えている。図３に示すように、各カセット収容部３１は、回収カセット２０が載置される底部３１ａを有し、一方の側面が開口している。取出規制部３５は、開口近傍の底部３１ａに設けられている。
【００２９】
より詳細には、取出規制部３５は、底部３１ａから上方に突出できるようになっており、取出規制部３５が底部３１ａから上方に突出すると、カセット収容部３１に収容されている回収カセット２０が外部から取り出すことができなくなる。一方、取出規制部３５が底部３１ａ内に退避すると、カセット収容部３１に収容されている回収カセット２０が外部から取り出すことができるとともに、カセット収容部３１に回収カセット２０を外部から収容することができる。カセット収容部３１は、図示しないカセット検知センサを備えており、このカセット検知センサにより回収カセット２０の有無を検知することができるようになっている。
【００３０】
また、図３に示すように、各カセット収容部３１の底部３１ａには、回収カセット２０がカセット収容部３１に収容された状態で、回収カセット２０に取り付けられている記憶媒体２１からデータを読み出す読出部３６が設けられている。
【００３１】
また、図２及び図４に示すように、カセット保管装置３０には、収容している回収カセット２０の取出指示等を受け付ける操作部３２、各種情報を表示することができる第１表示部３３、及び制御部３７が設けられている。例えば、操作部３２はキーボードであり、第１表示部３３は液晶ディスプレイである。
【００３２】
制御部３７は、取出規制部３５を制御したり、読出部３６による読み出しデータを記憶部３８に書き込んだりする。例えば、制御部３７は、読出部３６が記憶媒体２１から読み出した情報に基づいて、釣銭機１０からの回収額や、カセット２０内の現金在高を取得し、記憶部３８に書き込む。制御部３７及び記憶部３８は、釣銭機１０からの回収額を管理する管理部として機能することができる。
【００３３】
制御部３７は、カセット収容部３１に回収カセット２０が収容されると、この回収カセット２０が外部から取り出しできなくなるように、取出規制部３５を制御する。また、制御部３７は、操作部３２を介して取出指示を受け付けると、収容中の回収カセット２０の少なくともいずれか１つを取り出せるように、取出規制部３５を制御する。回収カセット２０の取出方法については後述する。
【００３４】
また、各カセット収容部３１には、第２表示部３４が設けられている。第２表示部３４は、対応するカセット収容部３１に収容された回収カセット２０が取り出し可能か否かを表示するようになっている。より詳細には、第２表示部３４には例えば赤ランプ及び緑ランプが設けられており、赤ランプ点灯時は回収カセット２０が取出不能状態にあることを示し、緑ランプ点灯時は回収２０が取出可能状態にあることを示す。第２表示部３４における表示内容（赤ランプ及び緑ランプの点灯）は、制御部３７により制御される。
【００３５】
また、図４に示すように、カセット保管装置３０は通信部３９を備えており、警送センター４０と通信できるようになっている。制御部３７は、記憶部３８に記憶しているデータを警送センター４０へ送信するように通信部３９を制御することができる。
【００３６】
図２に示すカセット保管装置３０には、カセット収容部３１の下方に、棒金（包装硬貨）などを保管しておくための保管庫４１が設けられているが、この保管庫４１は無くてもよい。
【００３７】
図１に示すように、店頭に設けられた釣銭機１０と、店舗後方の出納室等に設けられたカセット保管装置３０との間では、回収カセット２０により貨幣が運搬されるようになっている。店員は、店舗の営業終了後などに釣銭機１０から貨幣を回収すると、回収貨幣が入っている回収カセット２０を釣銭機１０から取り外し、カセット保管装置３０に収容させる。また、店員は、店舗の営業開始前などに、カセット保管装置３０から回収カセット２０を取り出して、釣銭機１０に装填する。店舗に複数の釣銭機１０が設けられている場合、回収カセット２０は、前日とは異なる釣銭機１０に装填されることもある。
【００３８】
次に、記憶部３８に記憶されているデータについて図５を用いて説明する。図５は記憶部３８が記憶しているデータの一例であり、記憶部３８は、回収カセット２０が釣銭機１０から回収してきた貨幣についての情報を回収カセット２０毎に記憶している。この情報は、読出部３６が記憶媒体２１から読み出したものであり、カセットＩＤ、回収日時、釣銭機ＩＤ、回収金情報などが含まれている。
【００３９】
制御部３７は所定のタイミングで読取部３６に記憶媒体２１からデータ（カセットＩＤ、回収日時、釣銭機ＩＤ、回収金情報など）を読み取らせる。そして、制御部３７は、読出部３６が読み出したデータのうち、記憶部３８に記憶されていない回収日時の回収金情報を記憶部３８に書き込み、送信フラグに０を設定する。
【００４０】
また、制御部３７は、所定のタイミングで、記憶部３８に書き込まれている回収金情報のうち、送信フラグが０になっている回収金情報と、対応するカセットＩＤ、釣銭機ＩＤ、回収日時を記憶部３８から取り出す。通信部３９は、記憶部３８から取り出されたデータを含む売上データを警送センター４０へ送信する。制御部３７は、通信部３９が警送センター４０へ売上データを送信すると、送信した売上データに含まれる回収金情報に対応する記憶部３８内の送信フラグを１に書き換える。
【００４１】
例えば、図５は、カセットＩＤが“ＣＳ０１”である回収カセット２０の複数日にわたる回収貨幣のデータを示している。このデータから、このカセット２０は、２０１１年１月２０日に、釣銭機ＩＤが“００１”である釣銭機１０から、１００００円札１０枚、５０００円札５枚、１０００円札３２枚、合計１５７０００円を回収しており、この回収金情報は警送センター４０へ送信済みであることが分かる。また、このカセット２０は、２０１１年１月２１日に、釣銭機ＩＤが“００２”である釣銭機１０から貨幣を回収しており、この回収金情報も警送センター４０へ送信済みであることが分かる。また、このカセット２０は、２０１１年１月２２日に釣銭機ＩＤが“００１”である釣銭機１０から貨幣を回収しており、この回収金情報は警送センター４０へ未だ送信されていないことが分かる。
【００４２】
カセット保管装置３０は、図５に示すようなデータから、各回収カセット２０の現金在高や、各釣銭機１０からの回収金を管理することができる。
【００４３】
また、警送センター４０は、通信部３９から売上データを受け取ることで、釣銭機１０からの回収金を回収日時別に管理することができ、また、回収カセット２０に収納されている貨幣の在高や金種情報を把握することができる。
【００４４】
読取部３６が記憶媒体２１からデータを読み取るタイミングは任意に設定することができ、例えば、回収カセット２０がカセット収容部３１に収容されたことをカセット検知センサが検知した時でもよいし、店舗の営業終了後でもよいし、操作部３２から読み取り指示を受け付けた時でもよい。
【００４５】
また、通信部３９が売上データを警送センター４０へ送信するタイミングは任意に設定することができ、例えば、店舗の営業終了後でもよいし、操作部３２から送信指示を受け付けた時でもよいし、回収カセット２０の記憶媒体２１から読み出された回収金情報等が記憶部３８に書き込まれた直後でもよい。
【００４６】
次に、カセット保管装置３０から回収カセット２０が取り出される際の処理について説明する。回収カセット２０は、釣銭機１０に装填するために店員が取り出す場合と、警送センター４０へ移送するために回収業者が取り出す場合とがある。
【００４７】
まず、店員による取り出しについて説明する。まず、店員は、操作部３２から回収カセット２０の取り出し指示を入力する。この時、操作部３２に設けられた読取部（図示せず）に、社員証等の認証カードを読み取らせるようにしてもよい。
【００４８】
操作部３２が店員から取り出し指示を受け付けると、制御部３７は、カセット収容部３１に収容されている回収カセット２０のうち、記憶媒体２１の回収金情報の読み出しが済んでいるものを１つ選択し、選択した回収カセット２０が取り出し可能となるように取出規制部３５を制御する。
【００４９】
また、制御部３７は、選択した回収カセット２０を収容しているカセット収容部３１に対応する第２表示部３４に、この回収カセット２０が取り出し可能になっていることを表示させる。例えば、制御部３７は、第２表示部３４の赤ランプを消して、緑ランプを点灯させる。店員は、第２表示部３４の表示内容を確認し、取り出し可能になっている回収カセット２０を取り出して、釣銭機１０に装填する。
【００５０】
操作部３２が店員から取り出し指示を受け付けたときに、記憶媒体２１の回収金情報の読み出しが済んでいる回収カセット２０が無い場合、制御部３７は、読出部３６を制御して、収容されている回収カセット２０のうち少なくとも１つの回収カセット２０の記憶媒体２１から回収金情報を読み出す。そして、回収金情報の読み出し後、制御部３７は、この回収カセット２０を取り出し可能にする。
【００５１】
このように、制御部３７は、記憶媒体２１の回収金情報の読み出しが済んでいる回収カセット２０のみ、カセット保管装置３０から取り外しできるようにし、記憶媒体２１の回収金情報の読み出しが済んでいない回収カセット２０は、カセット保管装置３０から取り外しできないようにする。
【００５２】
続いて、回収業者による取り出しについて説明する。通常、回収業者は、カセット保管装置３０に収容されている全ての回収カセット２０を取り出す。
【００５３】
まず、回収業者は、操作部３２から回収カセット２０の取り出し指示（回収指示）を入力する。この時、操作部３２に設けられた読取部（図示せず）に、回収業者を示す認証カードを読み取らせるようにしてもよい。
【００５４】
操作部３２が回収業者から取り出し指示を受け付けると、制御部３７は、カセット収容部３１に収容されている全ての回収カセット２０について、記憶媒体２１の回収金情報の読み出しが済んでいるかを確認し、読み出しを行っていない記憶媒体があれば、回収金情報の読み出し及び記憶部３８への書き込みを行う。
【００５５】
次に、制御部３７が、記憶部３８から、送信フラグが０になっている回収金情報を取り出し、通信部３９が売上データを警送センター４０へ送信する。
【００５６】
制御部３７は、カセット収容部３１に収容されている全ての回収カセット２０の記憶媒体２１からの回収金情報の読み出しと、記憶部３８内の未送信回収金情報の送信とを終えると、全ての回収カセット２０が取り出し可能となるように取出規制部３５を制御する。
【００５７】
回収業者は、カセット保管装置３０に収容されている全ての回収カセット２０を取り出し、代わりに、警送センター４０から持ってきた回収カセット２０をカセット保管装置２０に収容させる。回収業者が警送センター４０から持ってきた回収カセット２０は中身が空であり、記憶媒体２１はカセットＩＤのみ記憶している。回収業者は、カセット保管装置３０から取り出した回収カセット２０を警送センター４０へ運搬する。
【００５８】
警送センター４０は、カセット保管装置３０から売上データを受け取っているため、各回収カセット２０に収納されている貨幣の在高を把握している。警送センターでは、この在高と、回収業者が店舗から運搬してきた回収カセット２０に収納されている貨幣との照合作業が行われる。
【００５９】
このように、本実施形態では、釣銭機１０から回収カセット２０で回収される貨幣の計数を、釣銭機１０自体が行い、計数結果（回収金情報）を記憶媒体２１に書き込む。カセット保管装置３０は、記憶媒体２１から回収金情報等を読み出して各回収カセット２０の現金在高を取得することができる。カセット保管装置３０に、貨幣の計数機能を設ける必要がないため、店舗内の現金管理のコストを削減することができる。
【００６０】
制御部３７は、回収カセット２０の現金在高に基づいて、回収カセット２０が満杯（フル）又は満杯に近い（ニアフル）か否かを検出し、回収カセット２０がフル／ニアフルであった場合に、回収カセット２０の回収指示（回収依頼）を警送センター４０へ送信するようにしてもよい。警送センター４０が回収指示を受け取ると、回収業者が店舗へ回収カセット２０の回収に行く。
【００６１】
カセット保管装置３０が警送センター４０へ回収指示を送信することで、回収カセット２０は店舗で複数日にわたってフル／ニアフルになるまで運用される。そのため、回収業者によるカセット回収頻度を必要最小限に抑え、現金管理のコストをさらに削減することができる。
【００６２】
釣銭機１０において回収カセット２０へ貨幣を回収する際にエラーが発生した場合、釣銭機１０が記憶媒体２０に書き込む回収金情報と、実際に回収カセット２０に回収された貨幣とが一致しないおそれがある。そのため、エラー発生時は、回収カセット２０内の全ての貨幣を取り出して釣銭機１０へ投入し、釣銭機１０が貨幣を識別・計数して回収カセット２０に収納する。そして、釣銭機１０は、投入された全ての貨幣の計数結果を回収金情報として、エラーが発生したことを示す識別子とともに記憶媒体２１に書き込む。
【００６３】
カセット保管装置３０は、読み出した回収金情報にエラー識別子が付加されていた場合は、当日の回収金情報から、この回収カセット２０が前日までに回収していた貨幣の合計金額を減じる。このようにすることで、回収時にエラーが発生した場合でも、正確な回収金情報を取得することができる。
【００６４】
（第２の実施形態）図６に本発明の第２の実施形態に係る現金管理システムを示す。本実施形態は、図１に示す第１の実施形態と比較して、釣銭機１０とカセット保管装置３０とが通信可能に接続されている点が異なる。釣銭機１０は複数設けられていてもよい。
【００６５】
釣銭機１０は、回収カセット２０が装填されると記憶媒体２１からカセットＩＤを読み出す。また、釣銭機１０は、貨幣の回収時に回収金情報を記憶媒体２１へ書き込まず、回収カセット２０が取り外されると、釣銭機ＩＤ、カセットＩＤ、及び回収金情報を組み合わせてカセット保管装置３０へ送信する。
【００６６】
カセット保管装置３０は、釣銭機１０から釣銭機ＩＤ、カセットＩＤ、及び回収金情報の組み合わせを受信すると記憶部３８に書き込む。このように、回収金情報を記憶媒体２１に書き込むのではなく、釣銭機１０からカセット保管装置３０へ送信するような構成にしても、カセット保管装置３０は各回収カセット２０の現金在高を管理することができる。
【００６７】
カセット保管装置３０は、釣銭機１０から回収金情報を受信してから所定時間内に、この回収金情報と組み合わされているカセットＩＤの回収カセット２０が収容されない場合、警報を報知するようにしてもよい。
【００６８】
釣銭機１０は、カセット保管装置３０からの回収金情報の問い合わせに対する応答で、回収金情報をカセット保管装置３０へ送信してもよい。この場合、釣銭機１０は、貨幣回収時に記憶媒体２１に自機の釣銭機ＩＤを書き込む。カセット保管装置３０は、回収カセット２０が収容されると、記憶媒体２１から釣銭機ＩＤを読み出し、この釣銭機ＩＤに対応する釣銭機１０に回収金情報を問い合わせる。このような手法でも、カセット保管装置３０は各回収カセット２０の現金在高を管理することができる。
【００６９】
釣銭機１０は、回収カセット２０が取り外されてから所定時間内に、カセット保管装置３０から回収金情報の問い合わせがない場合は、警報を報知するようにしてもよい。
【００７０】
また、釣銭機１０は、記憶媒体２１からカセットＩＤを読み出しておき、回収時に自機の釣銭機ＩＤを記憶媒体２１に書き込まなくてもよい。カセット保管装置３０は、収容した回収カセット２０の記憶媒体２１からカセットＩＤを読み出し、全ての釣銭機１０に対して、このカセットＩＤに対応する回収カセットで貨幣の回収が行われたか否かを問い合わせる。釣銭機１０は、読み出していたカセットＩＤがカセット保管装置３０から問い合わせられているカセットＩＤと一致している場合、自機の釣銭機ＩＤとともに回収金情報をカセット保管装置３０へ送信する。このような構成にすることで、釣銭機１０は、記憶媒体２１へのデータ書き込み機能が不要となる。
【００７１】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００７２】
１０  釣銭機
１１  紙幣釣銭機
１２  硬貨釣銭機
１３  レジスタ
２０  回収カセット
２１  記憶媒体
３０  カセット保管装置
３１  カセット収容部
４０  警送センター
【図１】
0005674508.tif 000002
【図２】
0005674508.tif 000003
【図３】
0005674508.tif 000004
【図４】
0005674508.tif 000005
【図５】
0005674508.tif 000006
【図６】
0005674508.tif 000007